(57)【要約】【課題】本発明は、電子機器の消耗品に関する情報を所定の属性ごとに把握しうる新規な機器管理装置、機器管理システムおよびプログラムを提供することを目的とする。【解決手段】本発明によれば、ネットワークで接続される複数の電子機器を管理する機器管理装置であって、前記電子機器について定義された所定の属性を管理する機器属性管理部と、各前記電子機器から消耗品の注文履歴を含む機器情報を取得する機器情報取得部と、前記消耗品の注文履歴を前記電子機器に紐付けて管理する機器情報管理部と、前記属性を含む検索条件を受け付けるためのＧＵＩ部と、前記検索条件に基づいて前記機器属性管理部および機器情報管理部を検索し、前記検索条件に合致した前記消耗品の注文履歴を抽出する検索処理部と、抽出された前記消耗品の注文履歴を可視化データに変換して注文履歴情報を生成する注文履歴情報生成部とを含む機器管理装置が提供される。【選択図】図２
2013125289.tif 000002
【特許請求の範囲】
【請求項１】
ネットワークで接続される複数の電子機器を管理する機器管理装置であって、
前記電子機器について定義された所定の属性を管理する機器属性管理部と、
各前記電子機器から消耗品の注文履歴を含む機器情報を取得する機器情報取得部と、
前記消耗品の注文履歴を前記電子機器に紐付けて管理する機器情報管理部と、
前記属性を含む検索条件を受け付けるためのＧＵＩ部と、
前記検索条件に基づいて前記機器属性管理部および機器情報管理部を検索し、前記検索条件に合致した前記消耗品の注文履歴を抽出する検索処理部と、
抽出された前記消耗品の注文履歴を可視化データに変換して注文履歴情報を生成する注文履歴情報生成部とを含む
機器管理装置。
【請求項２】
前記検索条件は、期間の指定を含み、前記検索処理部は、前記属性および前記期間に合致した前記消耗品の注文履歴を抽出する、請求項１に記載の機器管理装置。
【請求項３】
前記注文履歴情報を所定の送信先に送信する注文履歴情報送信部をさらに含む、請求項２に記載の機器管理装置。
【請求項４】
前記期間は、定期周期で指定され、前記注文履歴情報送信部は、前記注文履歴情報を予め設定された送信先に自動送信する、請求項３に記載の機器管理装置。
【請求項５】
前記属性は、前記電子機器の所属に関する属性である、請求項１〜４のいずれか一項に記載の機器管理装置。
【請求項６】
ネットワークで接続される複数の電子機器を管理する機器管理システムであって、
前記電子機器について定義された所定の属性を管理する機器属性管理手段と、
各前記電子機器から消耗品の注文履歴を含む機器情報を取得する機器情報取得手段と、
前記消耗品の注文履歴を前記電子機器に紐付けて管理する機器情報管理手段と、
前記属性を含む検索条件を受け付けるためのＧＵＩ制御手段と、
前記検索条件に基づいて前記機器属性管理手段および機器情報管理手段を検索し、前記検索条件に合致した前記消耗品の注文履歴を抽出する検索処理手段と、
抽出された前記消耗品の注文履歴を可視化データに変換して注文履歴情報を生成する注文履歴情報生成手段とを含む
機器管理システム。
【請求項７】
前記検索条件は、期間の指定を含み、前記検索処理手段は、前記属性および前記期間に合致した前記消耗品の注文履歴を抽出する、請求項６に記載の機器管理システム。
【請求項８】
前記注文履歴情報を所定の送信先に送信する注文履歴情報送信手段をさらに含む、請求項７に記載の機器管理システム。
【請求項９】
前記期間は定期周期で指定され、前記注文履歴情報送信手段は、前記注文履歴情報を予め設定された送信先に自動送信する、請求項８に記載の機器管理システム。
【請求項１０】
ネットワークに接続された電子機器を管理するためのコンピュータに、
前記電子機器について定義された所定の属性を管理する手順と、
各前記電子機器から消耗品の注文履歴を含む機器情報を取得する手順と、
前記消耗品の注文履歴を前記電子機器に紐付けて管理する手順と、
前記属性を含む検索条件を受け付けるためのする手順と、
前記検索条件に基づいて前記検索条件に合致した前記消耗品の注文履歴を抽出する手順と、
抽出された前記消耗品の注文履歴を可視化データに変換して注文履歴情報を生成する手順
を実現させるコンピュータ実行可能な管理プログラム。
【発明の詳細な説明】
【技術分野】
【０００１】
本発明は、機器管理装置、機器管理システムおよびプログラムに関する。
【背景技術】
【０００２】
一般に、プリンタやコピー機器などのオフィス機器は、トナー、定着ユニット、排トナーボトル、感光体ユニットなどの消耗品を交換可能に備えている。従前は、消耗品の交換時期が到来する度に、ユーザが電話やＦＡＸで注文を行っていたが、そのような煩雑な手間を省くべく、オフィス機器に消耗品の消耗状態を監視させ、交換が必要となった消耗品をオフィス機器自身に自動発注させることが検討されている。この点につき、特開２００２−３７３２７０号公報（特許文献１）は、消耗品の残量が所定量を下回ったことに応答して、当該消耗品の発注情報を生成し、自動的にサプライ受注装置に送信する複写機を開示する。
【０００３】
一方、特開２０１１−２８４５５号公報（特許文献２）は、複数のオフィス機器からネットワーク経由で取得したＭＩＢ情報に基づいて、各オフィス機器の消耗品の状態を一覧表示する情報管理システムを開示する。
【発明の概要】
【発明が解決しようとする課題】
【０００４】
しかしながら、これまでのシステムは、電子機器の消耗品に関する情報を部門や部署ごとに把握しうるものではなかった。本発明は、この点に鑑みてなされたものであり、本発明は、電子機器の消耗品に関する情報を所定の属性ごとに把握しうる新規な機器管理装置、機器管理システムおよびプログラムを提供することを目的とする。
【課題を解決するための手段】
【０００５】
本発明者は、電子機器の消耗品に関する情報を所定の属性ごとに把握しうる新規な機器管理装置、機器管理システムおよびプログラムにつき鋭意検討した結果、以下の構成に想到し、本発明に至ったのである。
【０００６】
すなわち、本発明によれば、ネットワークで接続される複数の電子機器を管理する機器管理装置であって、前記電子機器について定義された所定の属性を管理する機器属性管理部と、各前記電子機器から消耗品の注文履歴を含む機器情報を取得する機器情報取得部と、前記消耗品の注文履歴を前記電子機器に紐付けて管理する機器情報管理部と、前記属性を含む検索条件を受け付けるためのＧＵＩ部と、前記検索条件に基づいて前記機器属性管理部および機器情報管理部を検索し、前記検索条件に合致した前記消耗品の注文履歴を抽出する検索処理部と、抽出された前記消耗品の注文履歴を可視化データに変換して注文履歴情報を生成する注文履歴情報生成部とを含む機器管理装置が提供される。
【図面の簡単な説明】
【０００７】
【図１】本実施形態の機器管理装置を含むネットワークプリントシステムを示す図。
【図２】本実施形態の機器管理装置の機能ブロック図。
【図３】本実施形態における注文履歴情報を示す図。
【図４】本実施形態における機器情報テーブルを示す図。
【図５】本実施形態における機器情報テーブルを示す図。
【図６】本実施形態における機器属性登録テーブルを示す図。
【図７】本実施形態の機器管理装置が提供するＧＵＩ画面を示す図。
【図８】本実施形態の機器管理装置が提供するＧＵＩ画面を示す図。
【図９】本実施形態における検索条件設定ダイアログを示す図。
【図１０】本実施形態における検索結果表示ダイアログを示す図。
【図１１】本実施形態における自動報告設定ダイアログを示す図。本実施形態の機器管理装置のＧＵＩ部が提供するＧＵＩ画面を示す図。
【発明を実施するための形態】
【０００８】
以下、本発明を、実施形態をもって説明するが、本発明は後述する実施形態に限定されるものではない。なお、以下に参照する各図においては、共通する要素について同じ符号を用い、適宜、その説明を省略するものとする。
【０００９】
図１は、本発明の実施形態である機器管理装置１００を含むネットワークプリントシステム１０００を示す。ネットワークプリントシステム１０００は、電子機器２００と、複数のクライアント端末３００と、機器管理装置１００とを含み、各装置がＬＡＮ、ＶＰＮ、インターネットなどとして参照されるネットワーク４００を介して相互に接続されている。
【００１０】
本実施形態において、電子機器２００は、消耗品を交換可能に備えるネットワーク機器であればよく、本実施形態は、電子機器２００の種類に限定されるものではないが、以下においては、電子機器２００がＭＦＰ（Multifunction Peripheral）である場合を例にとって説明する。
【００１１】
ＭＦＰ２００は、トナー、定着ユニット、排トナーボトル、感光体ユニット等の消耗品を交換可能に備えるネットワーク対応の画像形成装置であり、ネットワーク４００上の複数のクライアント端末３００から発行される印刷命令を受領して印刷処理を実行するネットワークプリンタとして機能している。
【００１２】
一方、機器管理装置１００は、パーソナル・コンピュータまたはワークステーションなどとして参照することができる情報処理装置であり、ネットワーク４００を介してＭＦＰ２００に機器情報を問い合わせ、取得した機器情報を集中管理する。
【００１３】
以上、本実施形態のネットワークプリントシステム１０００を構成する各装置について概説してきたが、次に、ＭＦＰ２００および機器管理装置１００の具体的な構成について図２に示す機能ブロック図に基づいて説明する。
【００１４】
本実施形態におけるＭＦＰ２００は、消耗品状態情報を機器情報として機器情報保持部２０２に保持・更新する。消耗品状態情報には、各種センサによって検知されるBlack、Cyan、Magenta、Yellowの各トナーの残量（トナーステータス）や総印刷枚数を示すトータルカウンタ値などが含まれる。
【００１５】
また、ＭＦＰ２００は、交換すべき消耗品の発注データを生成し、ネットワーク４００上の図示しない消耗品発注先ホストに自動送信する消耗品自動発注部２０４を含んで構成されている。消耗品自動発注部２０４は、例えば、各トナーの残量を監視し、残量が所定の閾値を下回ったことに応答して、該当するトナーカートリッジの発注データを生成・送信したり、トータルカウント値を監視し、トータルカウント値が所定の閾値に達したことに応答して、感光体ユニットや定着ユニットの発注データを生成・送信したりする。
【００１６】
ＭＦＰ２００は、消耗品自動発注部２０４が自動発注した消耗品の注文履歴を機器情報として機器情報保持部２０２に保持・更新する。したがって、機器情報保持部２０２には、機器情報として、消耗品状態情報（トナー残量、トータルカウンタ値など）と注文履歴が保持・更新されることになる。図３は、機器情報保持部２０２に保持される注文履歴５００を例示する。注文履歴５００は、発注元のＭＦＰ２００の識別子としての機器名、発注した消耗品（この場合、トナーカートリッジ）、発注日、数量、単価などを含んで構成されている。なお、機器情報保持部２０２には、上述した消耗品状態情報および注文履歴の他に、ＭＦＰ２００のベンダ名、機種名（モデル名）、シリアル番号、ＭＡＣアドレス、ＩＰアドレス等の基本情報が機器情報として保持される。
【００１７】
一方、本実施形態の機器管理装置１００は、ネットワーク４００上のＭＦＰ２００との間で適切なプロトコルに基づいた通信を実現するためのＩ／Ｆ部７０と、グラフィカルユーザインターフェース（ＧＵＩ）を提供し、当該ＧＵＩを介してユーザからの操作を受け付けるＧＵＩ部４０と、ＭＦＰ２００の属性を機器属性管理部１２に登録する機器属性登録部１０と、ネットワーク４００上の各ＭＦＰ２００から機器情報を取得し、機器情報管理部２２に格納する機器情報取得部２０と、設定される検索条件に基づいて機器属性管理部１２および機器情報管理部２２を検索する検索処理部３０と、検索処理部３０の検索結果に基づいて消耗品の注文履歴情報を生成する注文履歴情報生成部５０と、生成された消耗品の注文履歴情報をネットワーク４００上のユーザ端末（ＰＣ３００）に送信する注文履歴情報送信部６０とを含んで構成されている。
【００１８】
機器情報取得部２０は、ＳＮＭＰ（Simple Network Management Protocol）に基づいて定期的にネットワーク４００をポーリングし、ネットワーク４００上の各ＭＦＰ２００に対して機器情報を問い合わせる。これに対して、各ＭＦＰ２００は、機器情報保持部２０２に保持された機器情報をＭＩＢ(Management Information Base)として機器管理装置１００に返す。機器管理装置１００の機器情報取得部２０は、ＭＦＰ２００から受領した機器情報を機器情報管理部２２に格納する。なお、ＭＦＰ２００と機器管理装置１００の間のデータ通信（機器情報の問い合わせとその取得）は、ＳＯＡＰなどの他の適切なプロトコルに基づいて行っても良い。
【００１９】
機器情報管理部２２が管理する機器情報テーブル５０２を、紙面の都合上、図４および図５に分割して例示する。機器情報テーブル５０２においては、ＭＦＰ２００の機器名に紐付けて、機種名、ＩＰアドレス等の基本情報が格納され、加えて消耗品状態情報（トナーステータス等）が格納され（図４）、さらに加えて、消耗品の注文履歴が格納されている（図５）。
【００２０】
一方、本実施形態においては、前提として、各ＭＦＰ２００につき属性が定義される。ここでいう属性とは、ＭＦＰ２００の所属に関する属性を意味し、例示として、ＭＦＰ２００を管轄する組織単位（部門、部署など）やＭＦＰ２００の設置場所などを挙げることができる。ＧＵＩ部４０は、所定のＧＵＩを提供し、権限を持ったユーザ（例えば、システム管理者）から各ＭＦＰ２００の属性の設定を受け付ける。なお、本実施形態は、登録する属性の数を限定するものではなく、システム管理者は、複数の属性を定義して登録することができる。機器属性登録部１０は、ＧＵＩを介して入力された属性をＭＦＰ２００の機器名に紐付けて機器属性管理部１２に登録する。
【００２１】
図６は、機器属性管理部１２が管理する機器属性登録テーブル５０４を例示する。機器属性登録テーブル５０４においては、ＭＦＰ２００の機器名に紐付けて、ＭＦＰ２００を管轄する「部署」とＭＦＰ２００の「設置場所」が属性として登録されている。
【００２２】
以上、ＭＦＰ２００の構成ならびに機器管理装置１００を構成する機能部の一部について説明してきたが、続いて、機器管理装置１００を構成する他の機能部（検索処理部３０、注文履歴情報生成部５０、注文履歴情報送信部６０）について、具体例に基づいて、以下、説明する。なお、以下の説明においては、適宜、図２を参照するものとする。
【００２３】
図７（ａ）は、機器管理装置１００のＧＵＩ部４０が提供するＧＵＩ画面６００を示す。ＧＵＩ画面６００には、４つのボタン（「機器一覧」、「消費品一覧」、「検索」、「自動報告設定」）が表示されている。ここで、ユーザが「機器一覧」のボタンをクリックすると、これに応答して、検索処理部３０は、機器情報管理部２２を検索して機器情報テーブル５０２に格納された機器情報の中から基本情報の全部または一部をＧＵＩ部４０に返す。ＧＵＩ部４０は、受領した基本情報に基づいて、図７（ｂ）に例示されるＧＵＩ画面６００を生成・表示する。
【００２４】
図７（ｂ）に示す例の場合、操作ボタンフィールド６０１の下に一覧フィールド６０２が現れる。一覧フィールド６０２には、ネットワーク４００に接続された複数のＭＦＰ２００の基本情報（機器名、ＩＰアドレス等）の一覧がチェックボックス６０３を伴って表示されている。これを受けて、ユーザは、消耗品の状態を確認したい機器名に対応するチェックボックス６０３にチェックを入れる。
【００２５】
ユーザがチェックボックス６０３にチェックを入れた後、図８（ａ）に示すように、ユーザが操作ボタンフィールド６０１の「消費品一覧」のボタンをクリックすると、一覧フィールド６０２には、図８（ｂ）に示すように、ＭＦＰ２００の機器名がその属性とともに一覧表示される。なお、図８（ｂ）に示す例においては、属性に加えて、消耗品状態情報（トナーステータス等）が一覧フィールド６０２に表示されている。
【００２６】
次に、ユーザが、図９（ａ）に示すように、操作ボタンフィールド６０１の「検索」のボタンをクリックすると、これに応答して、ＧＵＩ部４０は、図９（ｂ）に示すように、検索条件設定ダイアログ７００をポップアップ表示する。検索条件設定ダイアログ７００には、属性を指定するためのフィールド７０１と、消耗品の品目を指定するためのフィールド７０２と、期間を指定するためのフィールド７０３と、出力形式を指定するためのフィールド７０４が表示される。図９（ｂ）に示す例の場合、ユーザは、属性につき「部署」のチェックボックスにチェックを入れた上でプルダウンメニューから「開発１Ｇ」を選択し、消耗品の品目につきプルダウンメニューから「トナーカートリッジ」を選択し、「期間を指定」のチェックボックスにチェックを入れた上で期間として「2011/01/01から2011/01/10」をテキスト入力し、出力形式として「表」をラジオボタンで選択している。
【００２７】
上述した検索条件を設定した後、ユーザが検索条件設定ダイアログ７００の「ＯＫ」ボタンをクリックすると、これに応答して、ＧＵＩ部４０は、検索条件[(部署＝開発１Ｇ)＊(消耗品＝トナーカートリッジ)＊(検索期間＝2011/01/01−2011/01/10)]を検索処理部３０に通知するとともに、出力形式[表]を注文履歴情報生成部５０に通知する。なお、「期間を指定」のチェックボックスにチェックを入れなかった場合は、当日の日付が検索条件における「検索期間」として設定される。
【００２８】
上記通知を受けて、検索処理部３０は、上記検索条件に基づいて機器属性登録部１０および機器情報管理部２２を検索する。その結果、検索処理部３０は、属性（開発１Ｇ）に合致する全てのＭＦＰ２００について、2011/01/01−2011/01/10の期間になされた「トナーカートリッジ」の注文履歴を抽出し、注文履歴情報生成部５０に渡す。
【００２９】
注文履歴情報生成部５０は、ＧＵＩ部４０から通知された出力形式[表]に則って、検索処理部３０から受領した注文履歴から表形式の可視化データ（注文履歴情報）を生成し、ＧＵＩ部４０に渡す。ＧＵＩ部４０は、受領した注文履歴情報（表）を表示するための検索結果表示ダイアログ８００を生成する。
【００３０】
図１０（ａ）は、検索結果表示ダイアログ８００を例示する。検索結果表示ダイアログ８００には、ユーザが指定した属性「開発１Ｇ」における注文履歴が表８０２として表示されている。このとき、ユーザが検索結果表示ダイアログ８００の「印刷」ボタンをクリックすると、表８０２が紙出力される。
【００３１】
一方、仮に、ユーザが、図９（ｂ）示した検索条件設定ダイアログ７００のフィールド７０４において、出力形式として「グラフ」をラジオボタンで選択した場合には、注文履歴情報生成部５０は、ＧＵＩ部４０から通知された出力形式[グラフ]に則って、検索処理部３０から受領した注文履歴からグラフ形式の可視化データ（注文履歴情報）を生成し、ＧＵＩ部４０は、注文履歴情報（グラフ）を表示するための検索結果表示ダイアログ８００を生成する。その結果、図１０（ｂ）に示すように、ユーザが指定した属性「開発１Ｇ」における消耗品の注文履歴がグラフ８０４として検索結果表示ダイアログ８００に表示される。
【００３２】
すなわち、注文履歴情報生成部５０は、検索処理部３０が抽出した注文履歴を表やグラフなどの可視化データに変換・生成し、その内容を所定のファイル形式で出力するための機能部であり、注文履歴情報生成部５０は、可視化形式として如何なる形式の表やグラフを採用してもよく、あるいはその他の表現形式を採用してもよい。
【００３３】
ここで、図１０（ｂ）に示すように、ユーザが検索結果表示ダイアログ８００の「メール送信」ボタンをクリックすると、これに応答して、ＧＵＩ部４０は、注文履歴情報送信部６０に対して、グラフ８０４をユーザが選択した所定の送信先に送信するように依頼する。注文履歴情報送信部６０は、当該依頼を受けて注文履歴情報生成部５０が生成したグラフ８０４を内容とするファイルをユーザが選択した所定の送信先に宛てたメールに添付して送信する、
【００３４】
以上、説明したように、本実施形態の機器管理装置１００によれば、部門や部署ごとのＭＦＰ２００に係る消耗品の注文状況が表やグラフなどを通して一目瞭然となる。
【００３５】
さらに、本実施形態の機器管理装置１００は、上述した一連の手順を自動で行うように構成することができる。この点につき、図１１に基づいて説明する。
【００３６】
ユーザが、図１１（ａ）に示すように、操作ボタンフィールド６０１の「自動報告設定」のボタンをクリックすると、これに応答して、ＧＵＩ部４０は、図１１（ｂ）に示すように、自動報告設定ダイアログ９００をポップアップ表示する。自動報告設定ダイアログ９００には、図９（ｂ）に示した検索条件設定ダイアログ７００と同様に、属性を指定するためのフィールド９０１と、消耗品の品目を指定するためのフィールド９０２と、出力形式を指定するためのフィールド９０４が表示される。一方で、自動報告設定ダイアログ９００には、検索周期を指定するためのフィールド９０３と注文履歴情報を報告する相手のメールアドレスを入力するためフィールド９０５が表示される。
【００３７】
図１１（ｂ）に示す例の場合、ユーザは、属性につき「部署」のチェックボックスにチェックを入れた上でプルダウンメニューから「開発５Ｇ」を選択し、消耗品の品目につきプルダウンメニューから「トナーカートリッジ」と「感光体ユニット」を選択し、検索周期として「週」をラジオボタンで選択するとともに締日としてプルダウンメニューから「金曜日」を選択し、出力形式として「グラフ」をラジオボタンで選択し、送信先メールアドレスにつきプルダウンメニューから経理部の責任者のメールアドレスである「keiribu@abc.co.jp」を選択している。
【００３８】
上述した検索条件および自動報告先を設定した後、ユーザが自動報告設定ダイアログ９００の「ＯＫ」ボタンをクリックすると、これに応答して、検索処理部３０は、検索条件[(部署＝開発５Ｇ)＊(消耗品＝トナーカートリッジ+感光体ユニット)＊(検索周期＝木曜日〜金曜日)]を検索条件登録部３２に登録し、注文履歴情報生成部５０は、出力形式[グラフ]を出力形式登録部５２に登録し、注文履歴情報送信部６０は、自動報告先（keiribu@abc.co.jp）を自動報告先登録部６２に登録して自動報告設定を完了する。
【００３９】
自動報告設定がなされると、機器管理装置１００は、以下の処理を定期的に実行する。すなわち、検索処理部３０は、検索条件登録部３２に登録された検索条件（検索周期等）に基づいて定期的に検索処理を実行する。具体的には、毎週金曜日の適切な時刻（例えば、２４時）になると、検索条件[(部署＝開発５Ｇ)＊(消耗品＝トナーカートリッジ+感光体ユニット)]に基づいて機器属性登録部１０および機器情報管理部２２を検索して、属性（開発５Ｇ）に合致する全てのＭＦＰ２００について、木曜日〜金曜日の間になされた「トナーカートリッジ」および「感光体ユニット」の注文履歴を抽出し、注文履歴情報生成部５０に渡す。
【００４０】
注文履歴情報生成部５０は、出力形式登録部５２に登録された出力形式[グラフ]に則って、検索処理部３０から受領した注文履歴からグラフ形式の可視化データ（注文履歴情報）を所定のファイル形式で生成する。
【００４１】
注文履歴情報送信部６０は、注文履歴情報生成部５０が生成した注文履歴情報（グラフ）を内容とするファイルを自動報告先登録部６２に登録された自動報告先（keiribu@abc.co.jp）に宛てたメールに添付して自動送信する。
【００４２】
以上、説明したように、本実施形態の機器管理装置１００によれば、部門や部署ごとのＭＦＰ２００に係る消耗品の注文状況が、例えば、経理部門の責任者に定期的に報告されるので、経理部門は、ＭＦＰ２００の経費状況を組織単位で把握することができ、またそのランニングコストを時系列的に追うことができ、これらの情報を経費削減のために活用することができる。
【００４３】
以上、本発明について実施形態をもって説明してきたが、本発明は上述した実施形態に限定されるものではない。例えば、機器管理装置１００を構成する上述した各機能部は、適切な単位でネットワーク上に分散配置されていてもよく、その場合、本発明は、ネットワークを介した機器管理システムとして構築される。また、これまで、本発明についてＭＦＰを管理対象機器とする例をもって説明してきたが、本発明の機器管理装置は、消耗品を交換可能に備えるネットワーク機器であれば、どのようなものであっても管理対象とすることができることはいうまでもなく、想定されるどのようなシステム構成も本発明の作用・効果を奏する限り、本発明の範囲に含まれる。
【００４４】
上述した実施形態の各機能は、Ｃ、Ｃ＋＋、Ｃ＃、Ｊａｖａ（登録商標）などのオブジェクト指向プログラミング言語などで記述された装置実行可能なプログラムにより実現でき、本実施形態のプログラムは、ハードディスク装置、ＣＤ−ＲＯＭ、ＭＯ、ＤＶＤ、フレキシブルディスク、ＥＥＰＲＯＭ、ＥＰＲＯＭなどの装置可読な記録媒体に格納して頒布することができ、また他装置が可能な形式でネットワークを介して伝送することができる。
【符号の説明】
【００４５】
１０…機器属性登録部
１２…機器属性管理部
２０…機器情報取得部
２２…機器情報管理部
３０…検索処理部
３２…検索条件登録部
４０…ＧＵＩ部
５０…注文履歴情報生成部
５２…出力形式登録部
６０…注文履歴情報送信部
６２…自動報告先登録部
７０…Ｉ／Ｆ部
１００…機器管理装置
２００…電子機器（ＭＦＰ）
２０２…機器情報保持部
２０４…消耗品自動発注部
３００…クライアント端末
４００…ネットワーク
５００…注文履歴
５０２…機器情報テーブル
５０４…機器属性登録テーブル
６００…ＧＵＩ画面
６０１…操作ボタンフィールド
６０２…一覧フィールド
６０３…チェックボックス
７００…検索条件設定ダイアログ
７０１〜７０４…フィールド
８００…検索結果表示ダイアログ
８０２…表
８０４…グラフ
９００…自動報告設定ダイアログ
９０１〜９０４…フィールド
１０００…ネットワークプリントシステム
【先行技術文献】
【特許文献】
【００４６】
【特許文献１】特開２００２−３７３２７０号公報
【特許文献２】特開２０１１−２８４５５号公報
【図１】
2013125289.tif 000003
【図２】
2013125289.tif 000004
【図３】
2013125289.tif 000005
【図４】
2013125289.tif 000006
【図５】
2013125289.tif 000007
【図６】
2013125289.tif 000008
【図７】
2013125289.tif 000009
【図８】
2013125289.tif 000010
【図９】
2013125289.tif 000011
【図１０】
2013125289.tif 000012
【図１１】
2013125289.tif 000013